(57)【要約】      （修正有）【課題】鶏卵の汚染防止や鮮度維持が図れ、しかも外観が良く、商品説明のラベルの貼着や、印刷を鮮明に施すことのできるシュリンク包装用鶏卵容器を提供する。【解決手段】合成樹脂シート素材を膨出成形させて複数個の鶏卵収容凹部を有する容器本体２と、収容した鶏卵を個々に保持する仕切用の凸状の区画壁を有する蓋体３とを、その一側縁部分においてヒンジ部４を介して折り畳み自在に一連に形成された鶏卵容器において、前記蓋体３の上部表面を、前記区画壁形成のための凹部を除いて略平面状するとともに、当該上部表面の周縁部に沿って、断続的に陥没部１８を有する凸条の帯状体１７を形成してシュリンク包装用鶏卵容器を構成する。【選択図】図２
2007276794.tif 000002
【特許請求の範囲】
【請求項１】
合成樹脂シート素材を膨出成形させて複数個の鶏卵収容凹部を有する容器本体と、収容した鶏卵を個々に保持する仕切用の凸状の区画壁を有する蓋体とを、その一側縁部分においてヒンジ部を介して折り畳み自在に一連に形成された鶏卵容器において、
前記蓋体の上部表面を、前記区画壁形成のための凹部を除いて略平面状するとともに、当該上部表面の周縁部に沿って、断続的に陥没部を有する凸条の帯状体を形成したこと
ことを特徴とするシュリンク包装用鶏卵容器。
【請求項２】
前記容器本体と蓋体は、
前記ヒンジ部を除く周縁に沿ってフランジ部が形成されるとともに、折り畳まれて積重した際、蓋体のフランジ部が容器本体のフランジ部を掩蔽するよう構成されていること
を特徴とする請求項１に記載のシュリンク包装用鶏卵容器。
【請求項３】
前記蓋体のフランジ部による容器本体のフランジ部の掩蔽は、
前記蓋体のフランジ部の先端部を下方に弧状に延出させることによって行うこと
を特徴とする請求項２に記載のシュリンク包装用鶏卵容器。
【請求項４】
前記ヒンジ部は、
前記容器本体と蓋体の相対する一辺に形成されたフランジ部によって形成され、折曲げ部の断面が弧状であること
を特徴とする請求項１〜３のいずれかに記載のシュリンク包装用鶏卵容器。
【請求項５】
前記容器本体は、
４〜１２個の鶏卵を収容可能なものであること
を特徴とする請求項１〜４のいずれかに記載のシュリンク包装用鶏卵容器。
【発明の詳細な説明】
【技術分野】
【０００１】
この発明は、食肉店、食料品店あるいはスーパーなどにおいて、鶏卵を販売する際に使用される鶏卵容器、特に、卵パックの外側に熱収縮フィルムを用いて、シュリンク包装するためのシュリンク包装用鶏卵容器に関するものであって、包装容器技術に属するものである。
【背景技術】
【０００２】
鶏卵を、食肉店、食料品店あるいはスーパーなどで販売する際に、鶏卵を４〜１２個程度収納可能で、合成樹脂シート、特にポリエステルシートにて、折曲げ可能な連結部分を介して、鶏卵収納のための凹部が形成された容器本体と蓋体が一体連結状に成形してある、いわゆる、卵パックと呼ばれる鶏卵容器が広く用いられている。
【０００３】
かかる鶏卵容器において、鶏卵を収納した卵パックの外側に熱収縮フィルムを用いて、シュリンク包装することが、例えば、登録実用新案公報第３０５２３７９号（特許文献１）において提案されている。この特許文献１に開示されたシュリンク包装卵は、卵の汚染を防止し、適切な温度管理による効率的な品質管理を可能にし、しかも開封後のゴミの量を大幅に低減させるために、複数の卵を収容する殺菌トレーを複数段積層し、その全体を抗菌フィルムでシュリンク包装するというものである。
【０００４】
また、登録実用新案公報第３０８９９７６号（特許文献２）には、鶏卵が８個収納できるＰＥＴ製の卵パックが開示されている。この提案の卵パックは、卵パックを閉止するステープルの代わりに、パック容器の両側面部において部分的に開口した状態で、シュリンク包装することによって、開封作業を簡単にし、かつ怪我を未然に防止するというものである。
【特許文献１】登録実用新案公報第３０５２３７９号（要約）
【特許文献２】登録実用新案公報第３０８９９７６号（要約、実用新案登録請求の範囲）
【発明の開示】
【発明が解決しようとする課題】
【０００５】
しかしながら、特許文献２で図示されているような、鶏卵を収容するための本体と、この本体とヒンジを介して接続される蓋体からなる鶏卵容器は、本体および蓋体の四周に沿ってフランジ部が形成されている。このフランジ部の厚みは、それ自体がきわめて薄いため、本体と蓋体とを重ね合わせても全体の厚みが薄く、端面が鋭利な状態を保持しているので、緊張状態でシュリンク包装された場合には、他の部位、例えば、卵を収容するための凹部間に荷重が作用した場合、前記フランジ部によってフィルムに破れが生じ易いという課題がある。
【０００６】
また、この種の鶏卵容器は、特許文献２でも明らかなように、蓋体の表面に直接もしくはシュリンク包装された蓋体の表面に、商品ラベルを貼着することが一般的に行われている。しかしながら、蓋体の表面に直接貼着する場合、貼着した商品ラベルを剥がし易くするため、および蓋体の強度を維持するために、四周に沿って突条のリブを一体的に形成することが行われているため、この突条部の存在によって内部に空気が溜まり易く、貼着されるシュリンク包装用のフィルムが浮き上がって密着度が落ちるとともに、破損し易い状況を惹起しているなど、シュリンク包装に際して解決すべき多くの課題がある。
【０００７】
この発明はかかる現状に鑑み、鶏卵容器をシュリンク包装するに際し、表面積の広い蓋体の表面にも、フィルムを容易に密着させることができ、見た目もよく、印刷性に優れた鶏卵容器を提供せんとするものである。
また、他の目的は、鶏卵容器のシュリンク包装に際し、破断し易い容器本体と蓋体とのフランジ部の接合端面を弧状に形成し、不用意な破断を防止することにある。
【課題を解決するための手段】
【０００８】
すなわち、この発明の請求項１に記載の発明は、
合成樹脂シート素材を膨出成形させて複数個の鶏卵収容凹部を有する容器本体と、収容した鶏卵を個々に保持する仕切用の凸状の区画壁を有する蓋体とを、その一側縁部分においてヒンジ部を介して折り畳み自在に一連に形成された鶏卵容器において、
前記蓋体の上部表面を、前記区画壁形成のための凹部を除いて略平面状するとともに、当該上部表面の周縁部に沿って、断続的に陥没部を有する凸条の帯状体を形成したこと
ことを特徴とするシュリンク包装用鶏卵容器である。
【０００９】
また、この発明の請求項２に記載の発明は、
請求項１に記載のシュリンク包装用鶏卵容器において、
前記容器本体と蓋体は、
前記ヒンジ部を除く周縁に沿ってフランジ部が形成されるとともに、折り畳まれて積重した際、蓋体のフランジ部が容器本体のフランジ部を掩蔽するよう構成されていること
を特徴とするものである。
【００１０】
また、この発明の請求項３に記載の発明は、
請求項２に記載のシュリンク包装用鶏卵容器において、
前記蓋体のフランジ部による容器本体のフランジ部の掩蔽は、
前記蓋体のフランジ部の先端部を下方に弧状に延出させることによって行うこと
を特徴とするものである。
【００１１】
また、この発明の請求項４に記載の発明は、
請求項１〜３のいずれかに記載のシュリンク包装用鶏卵容器において、
前記ヒンジ部は、
前記容器本体と蓋体の相対する一辺に形成されたフランジ部によって形成され、折曲げ部の断面が弧状であること
を特徴とするものである。
【００１２】
さらに、この発明の請求項５に記載の発明は、
請求項１〜４のいずれかに記載のシュリンク包装用鶏卵容器において、
前記容器本体は、
４〜１２個の鶏卵を収容可能なものであること
を特徴とするものである。
【発明の効果】
【００１３】
この発明のシュリンク包装用鶏卵容器は、シュリンク包装に適したもので、この発明のシュリンク包装用鶏卵容器を用いてシュリンク包装された鶏卵容器は、従来の鶏卵容器に比較して、美観に優れるとともに、外気に対する密封性を有するため、鶏卵の汚染を防止し、さらに鶏卵の鮮度を長期に維持し得るものである。
【００１４】
また、この発明のシュリンク包装用鶏卵容器は、シュリンク包装されることにより、ステープルなどを用いる必要がなく開封が容易で、また、フィルムに商品ラベルを貼着できることはもちろんであるが、フィルムに直接、商品名、説明文などが印刷可能で、別刷りのラベルを用いる必要がないばかりでなく、印刷面に褶曲やシワが無く美麗で読み易く、さらにはシュリンクフィルムによるクッション効果が発揮され、鶏卵の破損率を低下させることができる。
【００１５】
特に、この発明のシュリンク包装用鶏卵容器においては、鶏卵容器を構成する蓋体の上部表面を、前記区画壁形成のための凹部を除いて略平面状するとともに、当該上部表面の周縁部に沿って、断続的に陥没部を有する凸条の帯状体を形成しているので、シュリンク包装に際し、上部表面上の空気が前記陥没部を介して逃げるため、フィルムを蓋体の上部表面に密着させることができる。
【００１６】
また、蓋体のフランジ部によって容器本体のフランジ部の掩蔽をすることによって、従前のようにフランジ部の端面に鋭利な突出部が無くなるので、シュリンク包装された鶏卵容器のフィルムに不要な応力が作用したとしても、フランジ部端面でのフィルムの破断が消失し、密閉状態を確実なものにすることができる。
【００１７】
また、容器本体と蓋体のいずれか一方の周縁部で他方の周縁部を掩蔽すること、特には蓋体の周縁部で容器本体の周縁部を掩蔽するに際し、蓋体のフランジ部の先端部を容器本体側に向かって弧状に延出させるといった簡易な手段で、フランジ部によるフィルムの破損を確実に防止することができ、また、取り扱い作業者、あるいは消費者の手に傷を付けるおそれが殆んど消失する。
【発明を実施するための最良の形態】
【００１８】
以下、この発明のシュリンク包装用鶏卵容器を、添付の図面に基づいて具体的に説明するが、この発明は、その要旨を変更しない範囲において種々変更を加えることができるものである。
【００１９】
図１は、この発明の一実施例である鶏卵容器の開放状態を示す説明図、図２は同容器に鶏卵を収納し閉止した状態を示す説明図、図３は、閉止状態における容器の断面図、さらに図４は、容器本体と蓋体を、折り畳んで積重した際、容器本体と蓋体の周縁部の積重状態をしめす部分拡大断面図、図５は、鶏卵容器をシュリンクして密封状態にした説明図である。
【００２０】
図１に示される、この発明のシュリンク包装用鶏卵容器（以下、単に「シュリンク鶏卵容器」と略す。）１は、ＰＥＴなどの合成樹脂シートにより形成された、容器本体２と蓋体３とがヒンジ部４で接続されて開閉可能とされた卵パック容器であって、容器本体２には所定個数（図では１０個）の卵を収容するための凹状部６が設けられている。
また、容器本体２の上部外縁部には、その一辺がヒンジ部４を形成するフランジ部（周縁部）５が設けられているもので、フランジ部５の内周に沿い、その全周に渡って、後述する蓋体３の段差部１２と重積される帯状の凸条体７が設けられている。
この帯状の凸条体７には、断続的に陥没部８が複数設けられている。また、容器本体２の中央部には、長手方向に沿って、上部に後述する蓋体３の区画壁１１の凸部１２と嵌合する凹部１０を有する柱状体９が複数設けられている。
【００２１】
他方の蓋体３は、容器本体２に収容された卵の上部全体をカバーするために、全体が外部に向かって膨出した形状を有し、容器本体２の凹状部６に収容された卵の上部を仕切るための逆三角錐体状や板状の区画壁１１が頂面から突出するように設けられたもので、それら区画壁１１の頂部には、容器本体２の柱状体９の頂部に設けられた凹部１０と嵌合する凸部１２が設けられている。
また、蓋体３の下部外縁部には、その一辺がヒンジ部４を形成するフランジ部１３が設けられ、そのフランジ部１３の内周に沿い、その全周に渡って、容器本体２の帯状の凸条体７と重積される帯状の段差部１４が設けられている。
この帯状の段差部１４には、重積される帯状の凸条体７の陥没部１８に対応する隆起部１５が複数設けられている。
【００２２】
また、蓋体３の頂部外表面には、図２に示されるように、区画壁１１を形成した際に生じた凹部と補強のためのリブ１６が形成されているが、外表面全体としては平面状態であって、その周縁部には、凸条の帯状体１７が一体的に形成されるとともに、この凸条の帯状体１７には、所要の間隔を存して凹状の複数の陥没部１８が設けられている。
【００２３】
また、前記蓋体３の下部外縁部に設けられたフランジ部１３は、ヒンジ部４の部分を除いて、図３および図４に示されるように、その先端部を下方（容器本体２側）に弧状に屈曲させて掩蔽部１３ａを一体的に形成し、この掩蔽部１３ａによって、容器本体２のフランジ部５の先端部を掩蔽するよう構成されている。
【００２４】
また、ヒンジ部４の端面は、図３で明らかなように、折り曲げ部の断面が弧状となるように形成されたものである。
【００２５】
この発明のシュリンク鶏卵容器１は、上記のような構成を有するため、図３に示されるように、鶏卵は、鶏卵容器１の容器本体２に設けられた凹状部６に収容され（鶏卵は図示せず）、収容された鶏卵の上部は、区画壁１１によって仕切られるため、鶏卵同士が接触することはなく、安定に保持される。
【００２６】
また、シュリンク鶏卵容器１自体は、柱状体９と区画壁１１の先端同士の嵌合、容器本体２の周縁部５の凸条体７、特に陥没部８と蓋体３の周縁部１３の段差部１４、特に隆起部１５との重積により、容器本体２と蓋体３が確実に固定され、変形の生じる惧れが少ないものであって、その面からも、鶏卵を安定に収納保持できるものである。
【００２７】
また、蓋体３の上部表面の周縁には、所要の間隔で陥没部１８が形成された凸条の帯状体１７が設けられているので、その表面に施されるシュリンク包装フィルムは、凸条の帯状体１７に設けられた陥没部１８が空気抜きの働きをすることと相俟って、上部表面に、シワのない完全な平面状態で施されることが可能となる。
【００２８】
さらに、シュリンク鶏卵容器１の閉止状態、すなわち容器本体２の周縁部５と蓋体３の周縁部１３の重責状態において、例えば、図３に示されるように、蓋体３の周縁部１３の先端部で容器本体２の周縁部５の先端部を掩蔽するように、一方の周縁部が他方の周縁部を掩蔽するようにすることにより、シュリンク包装に際し、フィルムの破れや取り扱い時の作業者の切傷事故などを低減させることができるばかりでなく、シュリンク包装において、外観を美麗に仕上げることに寄与することができる。
【００２９】
また、シュリンク包装により、クッション性にも優れ、保管、搬送時等における、鶏卵の損傷率を低下させるとともに、使用者あるいは消費者が手に持った際の感触にも優れるものである。
【００３０】
図５は、鶏卵を収容した鶏卵容器１をシュリンク包装した状態を示すもので、この発明のシュリンク鶏卵容器を用いた際には、鶏卵容器の上部表面に褶曲やシワを生じさせることなくシュリンク包装が可能となる。また、シュリンク包装フィルムに印刷された、収容されている鶏卵の商品名（商標）、製造者、販売者、産地、賞味期限、保存方法、バーコード、卵サイズ等を含む各種の商品情報が美麗な状態のまま包装されるのである。勿論、別途調製された商品ラベルを接着剤や粘着剤等により貼着することも可能であって、シュリンク包装フィルムの平面性に優れているので、貼着された商品ラベルの状態も非常に良好なものである。
【００３１】
また、シュリンク包装がピンホールやフィルムの欠損などが生じることなく行うことができ、従来、これらの鶏卵容器に用いられていた、ステープルや接着剤等を用いる必要がなく、容器本体と蓋体の周縁部同士を単に重ね合わせてシュリンク包装するだけでよく、包装作業の効率化、さらには使用者の開封作業の容易性を向上させるものである。
【００３２】
さらに、鶏卵容器全体がシュリンク包装されているため、鶏卵が外気と完全に遮断されるため、鶏卵の鮮度が長期に渡って維持され、また、当然のことであるが、流通段階における塵埃の進入、異物の混入を防止し、収容した鶏卵の安全性向上にも寄与するものである。
【産業上の利用可能性】
【００３３】
この発明のシュリンク鶏卵容器は、従来のものに比して、上記したように種々の点において優れたものであるので、養鶏業界において、従来のものより、より広く利用される可能性の高いものである。
【図面の簡単な説明】
【００３４】
【図１】この発明の一実施例である鶏卵容器の開放状態を示す説明図である。
【図２】図１に示した鶏卵容器を閉止した状態を示す説明図である。
【図３】閉止状態における鶏卵容器の断面図である。
【図４】折り畳んで積重した容器本体と蓋体の周縁部の積重状態を示す部分拡大断面図である。
【図５】図１に示した鶏卵容器をシュリンクして密封状態にした説明図である。
【符号の説明】
【００３５】
１      シュリンク鶏卵容器
２      容器本体
３      蓋体
４      ヒンジ部
５      容器本体のフランジ部
６      凹状部
７      凸条体
８      陥没部
９      柱状体
１０      凹部
１１      区画壁
１２      凸部
１３      蓋体のフランジ部
１４      段差部
１５      隆起部
１６      リブ
１７      帯状体
１８      陥没部
【図１】
2007276794.tif 000003
【図２】
2007276794.tif 000004
【図３】
2007276794.tif 000005
【図４】
2007276794.tif 000006
【図５】
2007276794.tif 000007